(57)【要約】【課題】ゴルフボールの購入に際し、ゴルフボールに関する有益な情報を得て、ゴルフボールの選択を容易に可能とする。【解決手段】ゴルフボール１０は、少なくとも種類の異なる２種以上のゴルフクラブを用いて打撃したときのゴルフボールの飛距離の変化の情報を、ゴルフボール表面に表示する表示マーク１６，２０を有する。また、ゴルフボールの収納箱３０，３８、ゴルフボールの販売促進用パンフレット６０に、基準とするゴルフボールの飛距離に対するゴルフボール１０の飛距離の変化の情報を表示した性能表示部を設ける。ゴルフボールは、飛距離の変化の情報に従ってゴルフボールをタイプ別に分けたゴルフボール群とする。【選択図】図１
2007282874.tif 000002
【特許請求の範囲】
【請求項１】
ゴルフクラブで打撃するゴルフボールであって、
少なくとも種類の異なる２種以上のゴルフクラブを用いて打撃したときのゴルフボールの飛距離の変化の情報を、ゴルフボール表面に表示する表示部を有することを特徴とするゴルフボール。
【請求項２】
前記飛距離の変化の情報は、基準とするゴルフボールの飛距離に対して相対比較した比較情報である請求項１に記載のゴルフボール。
【請求項３】
前記２種以上のゴルフクラブは、ウッド系ゴルフクラブとウェッジアイアン系ゴルフクラブを含む請求項１又は２に記載のゴルフボール。
【請求項４】
ゴルフボールの収納箱であって、
少なくとも種類の異なる２種以上のゴルフクラブを用いて打撃したときのゴルフボールの飛距離の変化の情報を、収納箱の表面に表示する表示部を有することを特徴とするゴルフボール収納箱。
【請求項５】
前記飛距離の変化の情報は、基準とするゴルフボールの飛距離に対して相対比較した比較情報である請求項４に記載のゴルフボール収納箱。
【請求項６】
前記２種以上のゴルフクラブは、ウッド系ゴルフクラブとウェッジアイアン系ゴルフクラブを含む請求項４又は５に記載のゴルフボール収納箱。
【請求項７】
ゴルフボールの宣伝広告用表示媒体であって、
少なくとも種類の異なる２種以上のゴルフクラブを用いて打撃したときのゴルフボールの飛距離の変化の情報を、ゴルフボールの性能表示として表示する表示部を有することを特徴とするゴルフボールの宣伝広告用表示媒体。
【請求項８】
前記飛距離の変化の情報は、基準とするゴルフボールの飛距離に対して相対比較した比較情報である請求項７に記載のゴルフボールの宣伝広告用表示媒体。
【請求項９】
前記２種以上のゴルフクラブは、ウッド系ゴルフクラブとウェッジアイアン系ゴルフクラブを含む請求項７又は８に記載のゴルフボールの宣伝広告用表示媒体。
【請求項１０】
ゴルフボールをタイプ別に分けてシリーズ化したゴルフボール群であって、
少なくとも種類の異なる２種以上のゴルフクラブを用いて打撃したときのゴルフボールの飛距離の変化の情報に基づいてタイプ別に分けてシリーズ化したことを特徴とするゴルフボール群。
【請求項１１】
前記飛距離の変化の情報は、基準とするゴルフボールの飛距離に対して相対比較した比較情報である請求項１０に記載のゴルフボール群。
【請求項１２】
前記２種以上のゴルフクラブは、ウッド系ゴルフクラブとウェッジアイアン系ゴルフクラブを含む請求項１０又は１１に記載のゴルフボール群。
【発明の詳細な説明】
【技術分野】
【０００１】
本発明は、ゴルファが、自分のゴルフスウィングに適した性能を有するゴルフボールを選択することのできるゴルフボール、ゴルフボールの収納箱、ゴルフボールの宣伝広告用表示媒体及びゴルフボール群に関する。
【背景技術】
【０００２】
ゴルフボールは、ゴルファ個々の志向に合ったものを適切に選択できるように、高スピン用、高弾道用など、打ち出されたゴルフボールの性能情報を、ゴルフボールの構造とともに、ゴルフボールの収納箱に情報として表示している。
ゴルフボールは、ゴルフボール自体の性能によってのみ特徴付けられる訳ではなく、ゴルフボールやゴルファ自身のゴルフスウィングに基づいて特徴づけられるものである。
【０００３】
現在のゴルフボールは、大きく分けて「ウレタン系」及び「ディスタンス系」ゴルフボールの２種類に大きく分けられる。
「ウレタン系」ゴルフボールは、外側カバー材に柔らかなウレタン樹脂を用い、厚さを薄くする一方、内側コア部材は硬度の高い材料を用いて、ゴルフボールの反発性能及びゴルフボールのスピン性能を両立したゴルフボールとして知られている。これに対して、「ディスタンス系」ゴルフボールは、外側カバー材を適度な硬度とし、内側コア部材は硬度の低い材料を用いて、柔らかい打感と高打出し低スピン性能を実現したゴルフボールとして知られている。
【０００４】
しかし、ゴルファがこれらのゴルフボールを選択する際、どのゴルフボールが自分のゴルフスウィングに適したものであるか、選択が困難な場合が多い。ゴルフボールにスピンを効果的に生かすのであれば、「ウレタン系」を選択すればよく、打感を重視するのであれば、「ディスタンス系」を選択すればよいといった、情報は得られるものの、一般のゴルファにとって、このような情報を提示されても選択の際の有力な決め手には成り難い。
【発明の開示】
【発明が解決しようとする課題】
【０００５】
そこで、本発明は、従来の問題を解決するために、ゴルフボールに関する有益な情報を得て、ゴルフボールの選択を容易に可能とするゴルフボールを提供するとともに、さらに選択を容易に可能とするゴルフボールの収納箱、ゴルフボールの宣伝広告用表示媒体及びゴルフボール群を提供することを目的とする。
【課題を解決するための手段】
【０００６】
上記目的を達成するために、本発明は、ゴルフクラブで打撃するゴルフボールであって、
少なくとも種類の異なる２種以上のゴルフクラブを用いて打撃したときのゴルフボールの飛距離の変化の情報を、ゴルフボール表面に表示する表示部を有することを特徴とするゴルフボールを提供する。
【０００７】
その際、前記飛距離の変化の情報は、基準とするゴルフボールの飛距離に対して相対比較した比較情報であることが好ましい。また、前記２種以上のゴルフクラブは、例えば、ウッド系ゴルフクラブとウェッジアイアン系ゴルフクラブを含むことが好ましい。
【０００８】
さらに、本発明は、ゴルフボールの収納箱であって、少なくとも種類の異なる２種以上のゴルフクラブを用いて打撃したときのゴルフボールの飛距離の変化の情報を、収納箱の表面に表示する表示部を有することを特徴とするゴルフボール収納箱を提供する。
【０００９】
その際、前記飛距離の変化の情報は、基準とするゴルフボールの飛距離に対して相対比較した比較情報であることが好ましい。また、前記２種以上のゴルフクラブは、例えば、ウッド系ゴルフクラブとウェッジアイアン系ゴルフクラブを含むことが好ましい。
【００１０】
又、本発明は、ゴルフボールの宣伝広告用表示媒体であって、少なくとも種類の異なる２種以上のゴルフクラブを用いて打撃したときのゴルフボールの飛距離の変化の情報を、ゴルフボールの性能表示として表示する表示部を有することを特徴とするゴルフボールの宣伝広告用表示媒体を提供する。
【００１１】
その際、前記飛距離の変化の情報は、基準とするゴルフボールの飛距離に対して相対比較した比較情報であることが好ましい。また、前記２種以上のゴルフクラブは、例えば、ウッド系ゴルフクラブとウェッジアイアン系ゴルフクラブを含むことが好ましい。
【００１２】
さらに、本発明は、ゴルフボールをタイプ別に分けてシリーズ化したゴルフボール群であって、少なくとも種類の異なる２種以上のゴルフクラブを用いて打撃したときのゴルフボールの飛距離の変化の情報に基づいてタイプ別に分けてシリーズ化したことを特徴とするゴルフボール群を提供する。
【００１３】
その際、前記飛距離の変化の情報は、基準とするゴルフボールの飛距離に対して相対比較した比較情報であることが好ましい。また、前記２種以上のゴルフクラブは、例えば、ウッド系ゴルフクラブとウェッジアイアン系ゴルフクラブを含むことが好ましい。
なお、ウッド系ゴルフクラブとは、ロフト角度が６〜２０（度）のウッド系ゴルフクラブであり、ウェッジアイアン系ゴルフクラブとは、ロフト角度が４５〜７０（度）のアイアン系ゴルフクラブである。
【発明の効果】
【００１４】
本発明のゴルフボール、ゴルフボールの収納箱、ゴルフボールの宣伝広告用表示媒体及びゴルフボール群は、少なくとも種類の異なる２種以上のゴルフクラブを用いて打撃したときのゴルフボールの飛距離の変化の情報を表示する表示部を有するので、ゴルファは、どのゴルフクラブで飛距離を伸ばしたいか自分の希望を知れば、表示部に示される飛距離の変化の情報を見て、購入したいゴルフボールを容易に選択することができる。
【発明を実施するための最良の形態】
【００１５】
以下、本発明のゴルフボール、ゴルフボールの収納箱、ゴルフボールの宣伝広告用表示媒体及びゴルフボール群について、添付の図面に示される好適実施形態を基に詳細に説明する。
【００１６】
図１（ａ），（ｂ）は、本発明のゴルフボールの一実施形態であり、本発明のゴルフボール群を構成するゴルフボールの一実施形態の外観図である。
図１（ａ）に示すゴルフボール１０（Type Ａ）は、いわゆるディスタンス系ゴルフボールである。ディスタンス系ゴルフボールは、アイオノマー樹脂を主とするカバー材及びインナーカバー材と、ポリブタジエンからなるコア部材との３層より構成される。図１（ｂ）に示すゴルフボール１２（TypeＢ）は、いわゆるウレタン系ゴルフボールである。ウレタン系ゴルフボールは、ウレタンからなる外側カバー材と、アイオノマー樹脂を主とするインナーカバー材と、ポリブタジエンゴムからなるコア部材との３層より構成される。
【００１７】
ゴルフボール１０の表面には、ゴルフボール１０の商品名である「ＡＢＣ」の文字１４と、文字１４の上方に設けられた性能表示マーク（性能表示部）１６とを有する。文字１６及び性能表示マーク１６は、いずれもゴルフボール表面に塗料で表示されている。
性能表示マーク１６は、直線状の破線Ａと図中左から右に向けて破線Ａから離れるように右上がり傾向に屈曲した折れ線状の実線Ｂとで構成されている。
一方、ゴルフボール１２の表面には、ゴルフボール１２の商品名である「ＡＢＣ」の文字１８と、図中の上方に設けられた性能表示マーク２０とを有する。文字１８及び性能表示マーク２０は、いずれもゴルフボール表面に塗料で表示されている。
性能表示マーク２０は、直線状の破線Ｃと図中左から右に向かって傾斜し、破線Ｃと途中でクロスする折れ線状の実線Ｄとで構成されている。
【００１８】
性能表示マーク１６，２０は、いずれも＃１のウッド系ゴルフクラブ（ドライバー）、＃７アイアン系ゴルフクラブ及びアプローチウェッジの３種類のゴルフクラブを用いたときの８球の平均飛距離を、各ゴルフクラブを用いて所定のゴルフボールを試打したときの飛距離を基準として表示している。図１（ａ），（ｂ）中の性能表示マーク１６，２０における直線状の破線は、所定のゴルフボールの飛距離の情報を表しており、これを基準としてゴルフボール１０，１２の飛距離がどのように変化するか、相対的位置付けにより実線の折れ線で表している。
ゴルフボール１０，１２の基準とする所定のゴルフボールは、当業者が基準となり得るような性能を備えたゴルフボールを適宜選択することができる。なお、本発明では、所定のゴルフボールを基準とし、２種類以上のタイプのゴルフボールを相対比較して性能表示マークを設けることが好ましい。これにより、ゴルフボールを購入しようとする者は、２種類以上のタイプのゴルフボールの特性をより判り易く把握し、選択することができる。
【００１９】
性能表示マーク１６では、基準とするゴルフボールに対するゴルフボール１０の飛距離の変化の相対的な情報が、左から順にドライバー、＃７アイアン、アプローチウェッジの順に折れ線で表示されている。したがって、図１（ａ）の性能表示マーク１６では、基準とするゴルフボールに対してドライバーの飛距離は略同等であり、＃７アイアン及びアプローチウェッジでは飛距離が増加することを表す。
【００２０】
これに対して図１（ｂ）の性能表示マーク２０では、基準とするゴルフボールに対してドライバーの飛距離は増加するが、＃７アイアンの飛距離は同等、アプローチウェッジの飛距離は減少することを表す。
このようなゴルフボールの飛距離の変化の情報は、例えば、試打ロボットにより８球試打し、そのときの平均飛距離の変化の情報から、性能表示マーク１６，１８における飛距離の変化の情報を定める。
【００２１】
ゴルフボール１０，１２は、「ＡＢＣ」という同じ商品名を有する２タイプ（typeＡ，typeＢ）のゴルフボールであり、このゴルフボール群は、２種類以上のゴルフクラブにおける飛距離の違いによって異なる性能を有するものとしてタイプ別に分けて、同一商品名「ＡＢＣ」の中でシリーズ化されている。すなわち、ゴルフボールの飛距離の変化の情報は、基準となるゴルフボールの飛距離に対して相対比較した比較情報に基づいてタイプ別に分けられている。また、ゴルフボールの飛距離の変化の情報のために用いるゴルフクラブは、＃１のウッド系ゴルフクラブと、＃７のアイアン系ゴルフクラブと、アイアンウェッジゴルフクラブであるが、本発明では、少なくとも＃１のウッド系ゴルフクラブとウェッジアイアン系ゴルフクラブを含めばよい。＃１のウッド系ゴルフクラブとウェッジアイアン系ゴルフクラブは、ゴルフボールの飛距離が大きく異なるため、この２種類のゴルフクラブによる飛距離の変化の情報によって、ゴルフボールの飛距離に関する性能が概略理解できるからである。本発明において、ゴルフボールの飛距離の変化の情報のために用いるゴルフクラブは、上記ゴルフクラブに限定されず、この他にフェアウェイウッドや他のアイアン系ゴルフクラブを用いてもよい。本発明のゴルフボール群は、本実施形態のように２タイプのゴルフボールに限定されず、３種類、４種類等複数種類のタイプに分けられるものであってもよい。
【００２２】
図２は、ゴルフボール１０（Type Ａ）とゴルフボール１２（TypeＢ）の飛距離の結果の一例を示す図である。
ゴルフボール１０は、図中の◇のプロットで示され、ゴルフボール１２は図中の○のプロットで示されている。ゴルフボール１０は、ゴルフボール１２と比較して、ドライバー及び＃７のアイアンでは略同等、アプローチウェッジでは飛距離が増加することを示している。これより、ゴルフボール１０には、この飛距離の変化の、基準とするゴルフボールの飛距離の変化（図示せず）に対する差分を表す相対的情報として折れ線を表した性能表示マークが表示される。
【００２３】
このように、ゴルフボール１０には、性能表示マーク１６，２０が設けられているので、ゴルファは、どのゴルフクラブの飛距離を伸ばしたいか自分の希望があれば、表示マーク１６，１８を参照して、購入したいゴルフボールを容易に選択することができる。
【００２４】
図３（ａ），（ｂ）は、本発明の一実施形態であるゴルフボール収納箱の一実施形態の外観図である。
ゴルフボール収納箱３０は、ゴルフボール３個を１パックとして収納する紙からなる収納箱である。
ゴルフボール収納箱３０の表面には、性能表示部３２が箱の一つの面に表示されている。
性能表示部３２には、ゴルフボールの断面構成を表した説明図３４と、グラフ３６が表示されている。グラフ３６は、直線状の破線と折れ線状の実線で表されている。直線状の破線は、上述した基準とするゴルフボールの飛距離を表し、折れ線状の実線は、基準とするゴルフボールの飛距離に対する、ゴルフボール１０の飛距離の変化の相対的情報を示す。グラフ中の「Dr」はドライバーを、「Fw」は＃５のフェアウェイウッドを表し、「Iron」は＃７のアイアンを表し、「Wedge」はアプローチウェッジを表す。したがって、ゴルフボール１０は、図３（ａ）のグラフ３６では、＃７アイアンやアプローチウェッジを用いたとき飛距離を増大させる性能を有することを性能表示部３２は示している。
【００２５】
これに対して、図３（ｂ）に示すゴルフボール収納箱３８は、性能表示部３２と同様の性能表示部４０を有し、性能表示部４０には、ゴルフボールの飛距離の変化の情報を表示するグラフ４２が表示されている。グラフ４２は、基準とするゴルフクラブと対比して、ゴルフボールの飛距離が、ドライバー及びフェアウェイウッドでは増加し、一方、＃７アイアン及びアプローチウェッジでは減少する性能を有することを表示している。
【００２６】
このように、ゴルフボール収納箱３０，３８には、性能表示部３２，４０にそれぞれグラフ３６，４２が表示されているので、ゴルファは、どのゴルフクラブでの飛距離を伸ばしたいか自分の希望を知れば、グラフ３６，４２を見ることにより、購入したいゴルフボールのパックを容易に選択することができる。
【００２７】
図４は、本発明のゴルフボールの宣伝広告用表示媒体の一実施形態を示す図である。ゴルフボールの宣伝広告用表示媒体とは、ゴルフボールの性能とその性能を有するゴルフボールの構造等を説明する販売促進用のポスター、看板、パンフレット、インターネットのホームページの表示画面等である。
図４に示す販売促進用のポスター６０は、図３（ａ），（ｂ）に示す性能表示部と同様の内容が表示された性能表示部６２を備えている。性能表示部６２は、前述したように、ゴルフボールの断面構成を表した説明図６４とグラフ６６が表示されている。グラフ６６は、直線状の破線と折れ線状の実線で表されている。直線状の破線は、基準とするゴルフボールの飛距離を表し、折れ線状の実線は、基準とするゴルフボールの飛距離に対する、ゴルフボール１０の飛距離の変化の相対的情報を示す。グラフ中の「Dr」はドライバーを、「Fw」は＃５のフェアウェイウッドを表し、「Iron」は＃７アイアンを表し、「Wedge」はアプローチウェッジを表す。したがって、図４に示すグラフ６６は、アイアンやアプローチウェッジを用いたときゴルフボール１０の飛距離を増大させる性能を有することを性能表示部６２は示している。
【００２８】
なお、ゴルフボール１０は、グラフ６６に示す飛距離の変化の情報に対応して、図１（ａ），（ｂ）に示すようなゴルフボール１０の性能表示マーク１６，２０を設けることが好ましい。ゴルファは、ポスター６０を見てグラフ６６の飛距離の変化の情報を記憶にとどめ、この記憶にとどめた表示と一致する性能表示マークが表示されたゴルフボール又はゴルフボールのパックを容易に識別することができる。
【００２９】
以上、本発明のゴルフボール、ゴルフボールの収納箱、ゴルフボールの宣伝広告用表示媒体及びゴルフボール群について詳細に説明したが、本発明は上記実施形態に限定されず、本発明の主旨を逸脱しない範囲において、種々の改良や変更をしてもよいのはもちろんである。
【図面の簡単な説明】
【００３０】
【図１】（ａ），（ｂ）は、本発明のゴルフボールの一実施形態であり、本発明のゴルフボール群を構成するゴルフボールの一実施形態の外観図である。
【図２】基準とするゴルフボールと性能を評価しようとするゴルフボールにおける飛距離の結果の一例を示す図である。
【図３】（ａ），（ｂ）は、本発明の一実施形態であるゴルフボールの収納箱の一実施形態の外観図である。
【図４】本発明のゴルフボールの宣伝広告用表示媒体の一実施形態を示す図である。
【符号の説明】
【００３１】
１０,１２  ゴルフボール
１４，１８  文字
１６，２０  性能表示マーク
３０，３８  ゴルフボール収納箱
３２，４０，６２  性能表示部
３６，４２，６６  グラフ
６０  ポスター
６４  説明図
【図１】
2007282874.tif 000003
【図２】
2007282874.tif 000004
【図３】
2007282874.tif 000005
【図４】
2007282874.tif 000006